(57)【要約】【課題】マット状断熱材を用いた断熱床の仕上がり状態を品質良好なものにできるようにする。【解決手段】床板２の背面部にマット状断熱材３が設置され、該断熱材３は、床板２の背面部に取り付けられた保持金物４に保持され、保持金物４は、パネル積載時の断熱材の厚さ方向のスペースを保持する脚を兼ね、対の脚金物６と、該脚金物にわたされて断熱材を支えるバー状支持金物７とを備え、各脚金物６は向き合う方向に突出する溝形鉤部６ｃを備え、バー状支持金物７は、その各端部が溝形鉤部６ｃの溝内に設置されて、断熱材３から離れる方向の変位を両鉤部６ｃによって規制されて断熱材３を支え、床板３の背面部を上向きにした状態で、断熱材３により、その配置状態を保持するようになされているとよい。【選択図】      図１
2008106519.tif 000002
【特許請求の範囲】
【請求項１】
床板の背面部にマット状断熱材が設置され、該断熱材は、床板の背面部に取り付けられた断熱材保持金物に保持され、該保持金物が、パネル積載時の断熱材の厚さ方向のスペースを保持する脚を兼ねていることを特徴とする断熱床パネル。
【請求項２】
前記保持金物は、断熱材の両サイドにおいて床板の背面部に取り付けられた対の脚金物と、該脚金物の先端部間にわたされて断熱材を支えるバー状の支持金物とを備え、
各脚金物は、その先端部に、向き合う方向に突出する鉤部を備え、
バー状支持金物は、その各端部が各脚金物の鉤部の内面側に配置されて、断熱材から離れる方向の変位を両鉤部によって規制され、断熱材を支えるようになされている請求項１に記載の断熱床パネル。
【請求項３】
前記各脚金物の鉤部が、開放側を床板側に向けた溝形鉤部からなり、バー状支持金物の各端部は、各脚金物の溝形鉤部の溝内に配置され、床板の背面部を上向きにした状態で、断熱材により、その配置状態を保持するようになされている請求項２に記載の断熱床パネル。
【発明の詳細な説明】
【技術分野】
【０００１】
本発明は、断熱床パネルに関する。
【背景技術】
【０００２】
住宅等の建物の一階の床の断熱材として、グラスウールやロックウール等のマット状断熱材を用いる場合、その施工は、例えば、大引間に断熱材支持金物をわたし、該金物に断熱材を支持させ、しかる後、床板を設置するというようにして行われる。
【特許文献１】特開２００３−３２１９２９号公報
【発明の開示】
【発明が解決しようとする課題】
【０００３】
しかしながら、上記のような方法では、金物の取付けや断熱材の施工を現場で行うことになり、仕上がり状態が雑になりやすいという問題がある。
【０００４】
本発明は、上記のような問題点に鑑み、マット状断熱材を用いた断熱床の仕上がり状態を品質良好なものにできるようにすることを課題とする。
【課題を解決するための手段】
【０００５】
上記の課題は、床板の背面部にマット状断熱材が設置され、該断熱材は、床板の背面部に取り付けられた断熱材保持金物に保持され、該保持金物が、パネル積載時の断熱材の厚さ方向のスペースを保持する脚を兼ねていることを特徴とする断熱床パネルによって解決される（第１発明）。
【０００６】
この断熱床パネルによれば、これを工場生産することができて、現場では、この断熱床パネルを設置するだけでよく、マット状断熱材を用いた断熱床の仕上がり状態を品質良好なものにすることができる。
【０００７】
ただ、このように予めマット状断熱材が備えられた床パネルでは、現場への運搬、保管等のための床パネルの積載に支障をきたすという問題があるが、本発明の断熱床パネルでは、マット状断熱材を床板の背面側に保持する保持金物を、パネル積載時の断熱材の厚さ方向のスペースを保持する脚を兼ねる構造にしているので、パネルを積載しても、保持金物によって断熱材の厚さ方向のスペースが保持され、運搬、保管等のための床パネルの積載に支障をきたすこともなく、取扱いを容易にすることができる。
【０００８】
第１発明において、保持金物は、断熱材の両サイドにおいて床板の背面部に取り付けられた対の脚金物と、該脚金物の先端部間にわたされて断熱材を支えるバー状の支持金物とを備え、
各脚金物は、その先端部に、向き合う方向に突出する鉤部を備え、
バー状支持金物は、その各端部が各脚金物の鉤部の内面側に配置されて、断熱材から離れる方向の変位を両鉤部によって規制され、断熱材を支えるようになされているとよい（第２発明）。
【０００９】
この構造では、保持金物が、対の脚金物とバー状支持金物とに分割されているので、対の脚金物を床板の背面側に取り付け、該脚金物間にバー状支持金物をわたすというようにして、床板背面側への断熱材の取付けを容易に行っていくことができる。
【００１０】
しかも、断熱材は、バー状支持金物の各端部が各脚金物の鉤部の内面側に配置されることによって床板から離れる方向の変位を規制されるようになされているので、床板の背面側が下を向いた状態で、断熱材をバー状支持金物にしっかりと支持させることができると共に、そのような支持状態を簡素な構造で実現することができる。
【００１１】
第２発明において、各脚金物の鉤部が、開放側を床板側に向けた溝形鉤部からなり、バー状支持金物の各端部は、各脚金物の溝形鉤部の溝内に配置され、床板の背面部を上向きにした状態で、断熱材により、その配置状態を保持するようになされているとよい（第３発明）。
【００１２】
この場合は、バー状支持金物の各端部が各脚金物の溝形鉤部の溝内に配置されることで、側方へのバー状支持金物の位置ずれや外れを防止することができ、しかも、このような溝内配置状態を断熱材が保持するようになされているので、バー状支持金物の各端部を各脚金物の溝形鉤部の溝内に簡素な構造で保持することができる。
【発明の効果】
【００１３】
本発明は、以上のとおりのものであるから、マット状断熱材を用いた断熱床の仕上がり状態を品質良好なものにできる。
【発明を実施するための最良の形態】
【００１４】
次に、本発明の実施最良形態を図面に基づいて説明する。
【００１５】
図１に示す実施形態の断熱床パネル１において、２は床板、３はグラスウール等のマット状断熱材、４…は保持金物であり、床板２は厚さ寸法が例えば２８ｍｍの合板からなっていて、マット状断熱材３は床板２の背面側に設置され、間隔をおいた複数箇所を保持金物４に保持されて床板２と一体化されている。なお、５は、大引上面用の断熱材である。
【００１６】
保持金物４は、図２に示すように、対の脚金物６，６と、脚金物６，６間にわたされて断熱材を支えるバー状支持金物７とで構成されている。
【００１７】
各脚金物６は、床板２の背面部にビス止めされる板状のベース部６ａと、該ベース部６ａから立ち上がる板状の脚部６ｂと、該脚部６ｂの先端に備えられた板状の鉤部６ｃとを備えた側面視コ字状のものからなっていて、各板状部６ａ，６ｂ，６ｃの両側部にはそれぞれリブが内向きに連続状に立ち上げられて溝形をしており、パネル積載時のマット状断熱材３のための厚さ方向のスペースを保持する強度をもたされている。
【００１８】
バー状支持金物７は、溝形材からなっていて、溝の開放側を床板２側に向けた状態にして、その各端部を各脚金物６の溝形鉤部６ｃの溝内にしっくりと嵌合させることができるようになされており、この嵌合状態においてバー状支持金物７の側方変位や外れが溝形鉤部６ｃの溝の両側面部によって阻止されるようになされている。
【００１９】
また、本実施形態では、脚金物６の溝形鉤部６ｃの内面部に凹部又は孔６ｄが形成されると共に、バー状支持金物７の端部に凸部７ａが形成され、バー状支持金物７の端部が溝形鉤部６ｃに嵌合された状態でこれら６ｄ，７ａが嵌合し、溝形鉤部６ｃの溝内でバー状支持金物７がその長手方向に変位しようとするのが規制されるようになされている。なお、脚金物６の溝形鉤部６ｃの内面部に凸部が形成され、バー状支持金物７の端部に凹部又は孔が形成されていてもよい。
【００２０】
断熱床パネル１の製作は、次のようにして行えばよい。即ち、図３（イ）に示すように、背面側を上向きにした床板２の両サイドの上面部に、脚金物６，６を、溝形鉤部６ｃ，６ｃが向き合うように向けて、ビス８で取り付ける。次いで、図３（ロ）に示すように、マット状断熱材３を両サイドの脚金物６，６間に設置する。しかる後、図３（ハ）（ニ）に示すように、バー状支持金物７の各端部を、マット状断熱材３を上から圧するようにして各脚金物６，６の溝形鉤部６ｃ，６ｃ内に嵌め入れる。これにより、バー状支持金物７は、マット状断熱材３からの復元力を受けて、その両端部が作用の脚金物６，６の溝形鉤部６ｃ，６ｃ内に保持され、マット状断熱材３は、その復元力で、バー状支持金物７を反力部とし、床板２の背面部に密着状態に保持された状態となって、断熱床パネル１が形成される。
【００２１】
上記の断熱床パネル１では、図４及び図５に示すように、床板２の背面側を上にしたり、下にしたりして、複数の断熱床パネル１…を重ねても、保持金物４の脚金物６，６がスペーサーとなって、マット状断熱材３に積載荷重がかかるのを防いでマット状断熱材３を守り、運搬、保管等のための断熱床パネル１の積載時の取扱いを容易にすることができる。積載時の断熱材保護用の専用のスペーサーを用いる必要もない。
【００２２】
しかも、保持金物４を、対の脚金物６，６とバー状支持金物７とに分割した構造にしているので、対の脚金物６，６を床板の背面側に取り付け、該脚金物６，６間にバー状支持金物をわたすというようにして、床板２の背面側への断熱材３の取付けを容易に行っていくことができる。
【００２３】
特に、バー状支持金物７の各端部が各脚金物６，６の溝形鉤部６ｃ，６ｃの溝内に配置されることで、側方へのバー状支持金物の位置ずれや外れを防止することができ、しかも、このような溝内配置状態を断熱材３が保持するようになされているので、バー状支持金物７の各端部を各脚金物６，６の溝形鉤部の溝内に簡素な構造で保持することができる。
【００２４】
とりわけ、本実施形態の場合は、バー状支持金物７の溝内配置状態を、断熱材３の復元力を利用して保持するようになされているので、バー状支持金物７の各端部を各脚金物６，６の溝形鉤部の溝内に簡素な構造でしっかりと保持することができると共に、マット状断熱材３と床板２との密着性を高いものにすることができる。
【００２５】
そして、建築現場では、図６に示すように、上記の断熱床パネル１を、断熱材３が下となるようにして、床板２の両側部を左右の大引９，９の上に支承させていくだけで、断熱床を構築することができる。断熱材３の備えられた断熱床パネル１は工場で製作し、現場ではこのように断熱床パネル１を設置していくだけでよく、マット状断熱材３を用いた断熱床を品質良好な仕上がり状態にすることができる。
【００２６】
しかも、断熱材３は、バー状支持金物７の各端部が各脚金物６，６の鉤部６ｃ，６ｃの内面側に配置されることによって床板２から離れる方向の変位を規制されるようになされているので、断熱材３をバー状支持金物７にしっかりと支持させることができると共に、そのような支持状態を簡素な構造で実現することができる。
【００２７】
以上に、本発明の実施形態を示したが、本発明はこれに限られるものではなく、発明思想を逸脱しない範囲で各種の変更が可能である。例えば、第１発明は、断熱材保持金物の具体的構造に制限はなく、要は、マット状断熱材を保持する機能と、パネル積載時の断熱材の厚さ方向のスペースを保持する脚としての機能を併せもったものであればよく、種々の構造、形態をしていてよい。また、すべての発明において、保持金物４、脚金物６、バー状支持金物７の材質に制限はなく、スチールやアルミニウム等の金属からなっていてもよいし、樹脂からなっていてもよい。
【図面の簡単な説明】
【００２８】
【図１】実施形態の断熱床パネルを示すもので、図（イ）は正面図、図（ロ）は背面図である。
【図２】断熱材保持金物の斜視図である。
【図３】図（イ）〜図（ニ）は同断熱材の製作方法を順次に示す正面図である。
【図４】断熱床パネルの積載状態の一例を示す正面図である。
【図５】断熱床パネルの積載状態の他の例を示す正面図である。
【図６】建築現場での断熱床パネルの施工方法を示す正面図である。
【符号の説明】
【００２９】
１…断熱床パネル
２…床板
３…マット状断熱材
４…保持金物
６…脚金物
６ｃ…溝形鉤部
７…バー状支持金物
【図１】
2008106519.tif 000003
【図２】
2008106519.tif 000004
【図３】
2008106519.tif 000005
【図４】
2008106519.tif 000006
【図５】
2008106519.tif 000007
【図６】
2008106519.tif 000008